(57)【要約】  【課題】着座者の荷重を受けた際に、全体的にバランスよく撓むことができる板材を備えた椅子を提供する。  【解決手段】椅子本体１に座２及び背もたれ３を支持させてなる椅子Ａであり、座２及び背もたれ３の少なくとも一方が、特定方向ｄに弾性変形し易い弾性変形領域Ｒを複数有し、隣接する弾性変形領域Ｒの弾性変形し易い特定方向ｄが相互に異なるように配置してなる樹脂製の板材Ｂを備えている。【選択図】図３
2014076230.tif 000002
【特許請求の範囲】
【請求項１】
椅子本体に座及び背もたれを支持させてなる椅子であって、
前記座及び背もたれの少なくとも一方が、特定方向に弾性変形し易い弾性変形領域を複数有し、隣接する弾性変形領域の弾性変形し易い特定方向が相互に異なるように配置してなる樹脂製の板材を備えたものであることを特徴とする椅子。
【請求項２】
前記複数の弾性変形領域がそれぞれ共通の形状をなしている請求項１記載の椅子。
【請求項３】
前記板材が、椅子本体に支持される周縁部と、この周縁部の内側に位置する中間部とを有し樹脂により一体的に成形されたものであり、前記中間部の特定箇所に前記複数の弾性変形領域が配されている請求項１又は２記載の椅子。
【請求項４】
前記弾性変形領域が、内側に長孔を形成した複数の環状部材と、これら複数の環状部材を並列配置した状態でこれらを相互に連結するための連結部材とを備えている請求項１、２又は３記載の椅子。
【請求項５】
前記弾性変形領域が平面視略矩形状をなしており、当該弾性変形領域の弾性変形し易い特定方向を隣接する他の弾性変形領域の特定方向に対して約９０°方向を異ならせて配されている請求項１、２、３又は４記載の椅子。
【請求項６】
前記複数の弾性変形領域が、前記中間部に碁盤目状に配されている請求項５記載の椅子。
【請求項７】
前記４つの弾性変形領域が、前記中間部に放射状に配されている請求項５記載の椅子。
【請求項８】
前記板材に、前記複数の弾性変形領域が集合的に配されてなる弾性変形領域集合部を複数箇所に設けている請求項１、２、３、４、５、６又は７記載の椅子。
【発明の詳細な説明】
【技術分野】
【０００１】
本発明は、学校用または事務用等として好適に使用される椅子に関する。
【背景技術】
【０００２】
従来、この種の椅子として、着座者の荷重を弾性的に受けるための樹脂製の板材を備えた椅子が知られている（例えば、特許文献１を参照）。
【０００３】
ところが、従来のものは、一の方向にのみ弾性変形を生じさせるようにして着座者の荷重を受けるようにしているのがほとんどであった。すなわち、着座者の荷重を受けた際、樹脂製の板材は一の方向にしか変形が惹起されないため、着座者の荷重を全体的にバランス良く受け付け、着座者に快適な座り心地を提供するには一定の限界があった。
【先行技術文献】
【特許文献】
【０００４】
【特許文献１】特開２００７−１２５２２２号公報
【発明の概要】
【発明が解決しようとする課題】
【０００５】
本発明は、以上のような事情に着目してなされたもので、着座者の荷重を受けた際に全体的にバランスよく撓むことができる板材を備えた椅子を提供することにある。
【課題を解決するための手段】
【０００６】
すなわち、本発明の椅子は次の構成をなしている。
【０００７】
請求項１に記載の椅子は、椅子本体に座及び背もたれを支持させてなる椅子であって、前記座及び背もたれの少なくとも一方が、特定方向に弾性変形し易い弾性変形領域を複数有し、隣接する弾性変形領域の弾性変形し易い特定方向が相互に異なるように配置してなる樹脂製の板材を備えたものである。
【０００８】
請求項２に記載の椅子は、請求項１に係る構成において、前記複数の弾性変形領域がそれぞれ共通の形状をなしているものである。
【０００９】
ここで、「共通の形状」とは、方向を加味しない概念であり、例えば、配される方向が異なっていても方向を一致させて形状が共通していれば「共通の形状」とする。
【００１０】
請求項３に記載の椅子は、請求項１又は２に係る構成において、前記板材が、椅子本体に支持される周縁部と、この周縁部の内側に位置する中間部とを有し樹脂により一体的に成形されたものであり、前記中間部の特定箇所に前記複数の弾性変形領域が配されているものである。
【００１１】
請求項４に記載の椅子は、請求項１、２又は３に係る構成において、前記弾性変形領域が、内側に長孔を形成した複数の環状部材と、これら複数の環状部材を並列配置した状態でこれらを相互に連結するための連結部材とを備えているものである。
【００１２】
請求項５に記載の椅子は、請求項１、２、３又は４に係る構成において、前記弾性変形領域が平面視略矩形状をなしており、当該弾性変形領域の弾性変形し易い特定方向を隣接する他の弾性変形領域の特定方向に対して約９０°方向を異ならせて配されているものである。
【００１３】
請求項６に記載の椅子は、請求項５に係る構成において、前記複数の弾性変形領域が、前記中間部に碁盤目状に配されているものである。
【００１４】
請求項７に記載の椅子は、請求項５に係る構成において、前記４つの弾性変形領域が、前記中間部に放射状に配されているものである。
【００１５】
請求項８に記載の椅子は、請求項１、２、３、４、５、６又は７に係る構成において、前記板材に、前記複数の弾性変形領域が集合的に配されてなる弾性変形領域集合部を複数箇所に設けているものである。
【発明の効果】
【００１６】
以上説明したように本発明によれば、着座者の荷重を受けた際に、全体的にバランスよく撓むことができる板材を備えた椅子を提供することができる。
【図面の簡単な説明】
【００１７】
【図１】本発明の第一の実施形態を示す斜視図。
【図２】同実施形態における分解斜視図。
【図３】同実施形態における一部省略の平面図。
【図４】同実施形態における一部省略の斜視図。
【図５】同実施形態における板材の平面図。
【図６】他の実施形態を示す斜視図。
【図７】第二の実施形態における板材の平面図。
【図８】同実施形態の斜視図。
【図９】図８におけるＶ方向矢視図。
【図１０】同実施形態における下面側から見た斜視図。
【図１１】第三の実施形態における板材の平面図。
【図１２】第四の実施形態における板材の平面図。
【図１３】第五の実施形態における板材の平面図。
【図１４】図１３におけるＹ−Ｙ線断面図。
【図１５】第六の実施形態における板材の平面図。
【図１６】図１５におけるＺ−Ｚ線断面図。
【図１７】第七の実施形態である椅子の斜視図。
【発明を実施するための形態】
【００１８】
以下、本発明の第一の実施形態を、図１〜５を参照して説明する。
＜第一の実施形態＞
この実施形態は、本発明を、上下方向にスタッキング可能な椅子Ａに適用したものである。この椅子Ａは、椅子本体１に座２及び背もたれ３を支持させてなるものである。
【００１９】
椅子本体１は、接地体１１ａを介して床上に載置される左右のベース１１と、これら各ベース１１の前端から上方に延出する左右の前脚１２と、各ベース１１の後端から上方に延出する左右の後脚１３と、これら左右の後脚１３と前脚１２の上端とを繋ぐ前後方向に延びる左右の側フレーム１４と、これら左右の側フレーム１４の前部間に架設された前フレーム１５と、左右の側フレーム１４の後部間に架設された帯状の後フレーム１６と、後脚１３の上端から上方に延出する左右の背フレーム１７とを備えてなる。
【００２０】
ベース１１、前脚１２、後脚１３、側フレーム１４、前フレーム１５及び、背フレーム１７は、共通の金属線材を折曲げることにより一体に構成されたもので、座２及び背もたれ３に作用する荷重を受けることが可能な強度を備えている。そして、左右の側フレーム１４及び前後フレーム１５、１６に座板２３を直接的に添設させている。
【００２１】
座２は、着座面を有する座カバー２１と、椅子本体１に支持された樹脂製の座板２３と、座カバー２１と座板２３の間に配されたクッション２２とを具備してなるものである。
【００２２】
座カバー２１は、着座者が接する着座面を有してなるものであり、本実施形態のものは樹脂により形成されている。座カバー２１は、座板２３に取り付けられるものである。
【００２３】
座カバー２１の下面側には、略矩形状のクッション２２が配されている。すなわち、座２は、座カバー２１と座板２３との間にクッション２２を介在させている。クッション２２は、座カバー２１に付与された着座者の荷重を滑らかに座板２３に伝達させるための一定の弾力性を有するものである。
【００２４】
座板２３は、椅子本体１に支持される樹脂製の板材Ｂと、この板材Ｂの下面に設けられた取付体Ｃを備えたものであり、本実施形態では、板材Ｂと取付体Ｃとが樹脂により一体に形成されている。
【００２５】
板材Ｂは、椅子本体１に支持される基部である周縁部Ｂ１と、この周縁部Ｂ１の内側に位置する撓み生成部である中間部Ｂ２とを有し樹脂により一体的に成形されている。周縁部Ｂ１と中間部Ｂ２の厚み寸法は略同一の寸法に設定されている。以下、周縁部Ｂ１と中間部Ｂ２について詳述する。
【００２６】
周縁部Ｂ１は、中間部Ｂ２の左右両側に位置する側縁部分Ｂ１１と、中間部Ｂ２の後側に位置する後縁部分Ｂ１２と、中間部Ｂ２の前側に位置する前縁部分Ｂ１３とを備えたものである。側縁部分Ｂ１１は、下面に側フレーム１４と接続するための取付体Ｃを構成する側フレーム取付部Ｃ１が配されている。側フレーム取付部Ｃ１は、左右の側フレーム１４を抱くようにして取り付けられるようにするため、下向きチャンネル状に形成されている。つまり、左右の側フレーム取付部Ｃ１は、その下向きチャンネル状の部分を左右の側フレーム１４の上から被せるように載せ置いて取り付けられる。すなわち、側フレーム取付部Ｃ１は下方に開口する溝状のものである。後縁部分Ｂ１２は、下面に帯状をなす後フレーム１６と接続するための取付体Ｃを構成する後フレーム取付部Ｃ２が形成されている。また、後縁部分Ｂ１２の後端縁には強度を向上させるための複数のリブＢ１２１が形成されている。前縁部分Ｂ１３は、前脚１２の湾曲形状に沿うように下方に湾曲させた下方延出部Ｂ１３１と、この下方延出部Ｂ１３１の上側に略水平に形成された前方延出部Ｂ１３２とを備えている。前方延出部Ｂ１３２は、前端側に座カバー２１の下面と係わり合うための複数の座カバー係合部ｋを有している。座カバー係合部ｋは、孔状のもので、座カバー２１の下面に形成された図示しない係合突起と係わり合うことにより、座カバー２１の前側部分を座板２３に取り付けられるようになっている。
【００２７】
しかして、板材Ｂの中間部Ｂ２は、特定方向ｄ（図５中において網掛け矢印にて示した方向）に弾性変形し易い弾性変形領域Ｒを複数有している。板材Ｂは、隣接する弾性変形領域Ｒの弾性変形し易い特定方向ｄが相互に異なるように配置されている。すなわち、中間部Ｂ２に配された複数の弾性変形領域Ｒは、上下又は左右に隣り合う他の弾性変形領域Ｒの弾性変形し易い特定方向ｄと一致しないように設けられている。換言すれば、板材Ｂの弾性変形領域Ｒは、隣接する他の弾性変形領域Ｒに対して、弾性変形し易い方向をずらして配されている。つまり、特定の（一の）弾性変形領域Ｒは、隣接する他の弾性変形領域Ｒに対して荷重を受けて伸びやすい方向が異なるように配置されている。これら複数の弾性変形領域Ｒは、それぞれ共通の形状をなしている。
【００２８】
中間部Ｂ２は、ほぼ着座者の左側の臀部に対応する位置に設けられ複数の弾性変形領域Ｒを隣接させて形成された左の弾性変形領域集合部ＧＬと、ほぼ着座者の右側の臀部に対応する位置に設けられ複数の弾性変形領域Ｒを隣接させて形成された右の弾性変形領域集合部ＧＲと、これら左右の弾性変形領域集合部ＧＬ、ＧＲを保持するとともに周縁部Ｂ１との間に介在する支持枠部Ｆとを具備している。
【００２９】
複数の弾性変形領域Ｒは、中間部Ｂ２に碁盤目状に配されている。換言すれば、板材Ｂに、複数の弾性変形領域Ｒが集合的に配されてなる２つの弾性変形領域集合部ＧＬ、ＧＲが配されている。左右の弾性変形領域集合部ＧＬ、ＧＲは、それぞれ９つの弾性変形領域Ｒを縦横方向にそれぞれ３つ碁盤目状に配してなるものである。
【００３０】
左右の弾性変形領域集合部ＧＬ、ＧＲは平面視において略矩形状をなしており支持枠部Ｆによって囲まれている。より具体的に言えば、弾性変形領域集合部ＧＬ、ＧＲは、平面視において略正方形の仮想範囲内に収まる形状となっており、その周囲を略矩形状をなす支持枠部Ｆにより支持されている。左右の弾性変形領域集合部ＧＬ、ＧＲは、略同一の形状をなしている。また、左右の弾性変形領域集合部ＧＬ、ＧＲを構成する弾性変形領域Ｒは、平面視において略矩形状をなしている。より具体的に言えば、弾性変形領域Ｒは、平面視において略正方形の仮想範囲内に収まる形状となっている。
【００３１】
支持枠部Ｆは、弾性変形領域集合部ＧＬ、ＧＲをそれぞれ取り囲んで支持する部分である。本実施形態における支持枠部Ｆは、それぞれの弾性変形集合部ＧＬ、ＧＲを取り囲む矩形枠状をなしており、周縁部Ｂ１と一体的に形成されている。
【００３２】
一の弾性変形領域Ｒは、隣接する他の弾性変形領域Ｒに対して約９０°方向を異ならせて配されている。より詳述すれば、一の弾性変形領域Ｒは、その弾性変形し易い特定方向ｄを、隣接する他の弾性変形領域Ｒの特定方向ｄに対して約９０°方向を異ならせて配されている。
【００３３】
続いて、弾性変形領域Ｒについて詳述する。
【００３４】
図５に示すように、弾性変形領域Ｒは、内側に長孔ｎを形成した複数の環状部材Ｒ１と、これら複数の環状部材Ｒ１を並列配置した状態でこれらを相互に連結するための連結部材Ｒ２と、隣接する他の弾性変形領域Ｒ或いは支持枠部Ｆに接続するための接続部材Ｒ３とを備えている。
【００３５】
環状部材Ｒ１は、内部に長孔ｎが形成されるようにした細長い環状をなすもので、略直線状に延びる対をなす長尺部Ｒ１１と、この対をなす長尺部Ｒ１１の端部同士を連結する対をなす略Ｕ字状の屈曲部Ｒ１２とを備えたものである。なお、「長尺部」とは、直線なものだけでなく曲がっているものも含む概念である。本実施形態では、弾性変形領域Ｒは、同一形状をなす３つの環状部材Ｒ１が長手方向を一致させて並列に配置されており、隣り合う環状部材Ｒ１同士を連結部材Ｒ２により相互に連結している。
【００３６】
連結部材Ｒ２は、比較的短寸の帯状のもので、一方の環状部材Ｒ１の長尺部Ｒ１１の中間部分と他方の環状部材Ｒ１の長尺部Ｒ１１の中間部分とを一本の帯状部材により連結している。
【００３７】
接続部材Ｒ３は、比較的短寸の帯状のものであり、一の弾性変形領域Ｒの環状部材Ｒ１と隣接している他の弾性変形領域Ｒの環状部材Ｒ１或いは支持枠部Ｆとを相互に連結している。
【００３８】
弾性変形領域Ｒは、特定方向ｄに弾性変形し易いものとなっている。すなわち、座カバー２１及びクッション２３を介して板材Ｂの弾性変形領域Ｒに着座者の荷重が加わると、弾性変形領域Ｒの略全体が板材Ｂの厚み方向に移動するとともに、環状部材Ｒ１が引っ張り力を受けて変形することになる。具体的には、全体的に下方に撓み変形すると同時に、環状部材Ｒ１における対をなす長尺部Ｒ１１が互いに離れる方向に移動するとともに、環状部材Ｒ１における対をなす屈曲部Ｒ１２が屈曲度合いを拡開する方向に変化させつつ互いに相寄る方向に移動することになる。つまり、本実施形態の弾性変形領域Ｒは、環状部材Ｒ１の長手方向と略直交する方向ｄ、すなわち、長孔ｎの長手方向と略直交する方向ｄに弾性変形し易いものとなっている。
【００３９】
背もたれ３は、背カバー３１とこの背カバー３１を支持するとともに背フレーム１７と接続する図示しない背板を備えたものである。
【００４０】
以上説明したように、本実施形態に係る椅子Ａは、座２が、特定方向ｄに弾性変形し易い弾性変形領域Ｒを複数有し、隣接する弾性変形領域Ｒの弾性変形し易い特定方向ｄが相互に異なるように配置してなる樹脂製の板材Ｂを備えたものであるため、着座者の荷重を受けた際に、全体的にバランスよく撓むことができ、着座者に心地よい座り心地を提供することができるものとなる。しかも、この板材Ｂが、全体的にバランス良く撓むものであるため、荷重が局所的に集中しにくいものとなり、板材Ｂの全体的な強度を確保するための設計の自由度が向上するものとなる。
【００４１】
複数の弾性変形領域Ｒがそれぞれ共通の形状をなしているので、弾性変形領域Ｒの弾性変形し易い特定方向ｄを特定した上で、複数の弾性変形領域Ｒを配することができ、板材Ｂの設計のし易さに寄与するものとなる。
【００４２】
板材Ｂが、椅子本体１に支持される周縁部Ｂ１と、この周縁部Ｂ１の内側に位置する中間部Ｂ２とを有し樹脂により一体的に成形されたものであり、中間部Ｂ２の特定箇所に複数の弾性変形領域Ｒが配されているものであるため、着座者の荷重を好適に受けることができるものとなる。
【００４３】
弾性変形領域Ｒが、内側に長孔ｎを形成した複数の環状部材Ｒ１と、これら複数の環状部材Ｒを並列配置した状態でこれらを相互に連結するための連結部材Ｒ２とを備えているものであるため、長孔ｎを有する環状部材Ｒ１によって弾性変形し易い特定方向ｄを容易に設定することができるものとなる。すなわち、環状部材Ｒ１は、長孔ｎの長手方向と交差する方向に弾性変形し易くなるため、弾性変形し易い特定方向ｄを設定しやすいものとなる。
【００４４】
弾性変形領域Ｒが平面視略矩形状をなしており、当該弾性変形領域Ｒの弾性変形し易い特定方向ｄを隣接する他の弾性変形領域Ｒの特定方向ｄに対して約９０°方向を異ならせて配されているようにしているので、隣接する弾性変形領域Ｒ（他の弾性変形領域Ｒ）の弾性変形し易い特定方向ｄが、一の弾性変形領域Ｒの弾性変形し易い特定方向ｄと異なるものとなり、全体的にバランス良く複数の弾性変形領域Ｒを弾性変形させることができる。すなわち、着座者の荷重を受けて一の弾性変形領域Ｒが特定方向ｄに弾性変形しても、これに隣接する他の弾性変形領域Ｒは一の弾性変形領域Ｒの特定方向ｄと同一の方向には殆ど弾性変形しないものとなっている。しかも、他の弾性変形領域Ｒは一の弾性変形領域Ｒの特定方向ｄと交差する方向に弾性変形するようになっている。したがって、上述した構成であれば、着座者の荷重を受けても全体的にバランス良く複数の弾性変形領域Ｒを弾性変形させることができる。
【００４５】
特に、複数の弾性変形領域Ｒが、中間部Ｂ２に碁盤目状に配されているので、複数の弾性変形領域Ｒが有機的に協働し、撓みが上下左右に分散され、全体的にバランス良く着座者の荷重を受け付けるものとなる。
【００４６】
なお、本発明は、以上に詳述した実施形態に限られるものではない。
【００４７】
例えば、弾性変形領域の形状や、弾性変形領域集合部における複数の弾性変形領域の配置は、種々の態様を適用することができ、第一の実施形態に示されるものに限られるものではない。
【００４８】
以下、本発明の第二〜第六の実施形態である弾性変形領域Ｒを有した中間部Ｘ１、Ｘ２、Ｘ３、Ｘ４、Ｘ５について説明する。これら中間部Ｘ１、Ｘ２、Ｘ３、Ｘ４、Ｘ５は、それぞれ図６における椅子Ｅの網掛け部分Ｘに適用されるものである。すなわち、図７〜図１６では、図６に示した椅子Ｅの網掛け部分Ｘに適用される中間部Ｘ１、Ｘ２、Ｘ３、Ｘ４、Ｘ５のみを示しており、他の構成部分は省略して示している。なお、第二〜第六の実施形態において、前述した第一実施形態と同一又は対応する部分については同一の符号を付して説明することとし、説明を省略する。
【００４９】
＜第二の実施形態＞
第二の実施形態である中間部Ｘ１について、図７〜図１０を参照して説明する。
【００５０】
中間部Ｘ１は、１つの弾性変形領域Ｒを構成する環状部材Ｒ１の個数が２つである点、環状部材Ｒ１の厚み寸法ｔ１が中間部Ｘ１を構成する他の部分（連結部材Ｒ２、接続部材Ｒ３、支持枠部Ｆ）の厚み寸法ｔ２よりも長い寸法に設定されている点（図８〜１０を参照）、及び、弾性変形領域集合部ＧＬ（ＧＲ）が１６の弾性変形領域Ｒを縦横方向にそれぞれ４つ略碁盤目状に配してなる点、において第一の実施形態のものと少なくとも相違している。
【００５１】
一方で、本実施形態に示すものは、弾性変形領域Ｒが平面視略矩形状をなしており、当該弾性変形領域Ｒの弾性変形し易い特定方向ｄを隣接する他の弾性変形領域Ｒの特定方向ｄに対して約９０°方向を異ならせて配されている点において、第一の実施形態のものと共通している。これらは樹脂により一体に成形されている。
【００５２】
本実施形態に示すものであれば、環状部材Ｒ１の厚み寸法ｔを他の部分よりも長い寸法に設定することにより、弾性変形し易い特定方向ｄへの弾性変形の程度を調整することができる。換言すれば、環状部材Ｒ１の厚み寸法ｔを調整することによって好適なクッション性を付与するための設計の自由度が飛躍的に向上するものとなっている。
【００５３】
＜第三の実施形態＞
第三の実施形態である中間部Ｘ２について、図１１を参照して説明する。
【００５４】
この実施形態のものは、同一の形状をなす４つの弾性変形領域Ｒが、中間部Ｂ２に放射状に配されているものである。
【００５５】
放射状に配された４つの弾性変形領域Ｒは、内側に湾曲した長孔ｎを形成した２つの環状部材Ｒ１と、これら環状部材Ｒ１を並列配置した状態でこれらを相互に連結するための連結部材Ｒ２と、隣接する他の弾性変形領域Ｒ或いは、支持枠部Ｆに接続するための接続部材Ｒ３とを備えている。この実施形態では支持枠部Ｆは略円形状をなしている。２つの環状部材Ｒ１は、それぞれ大きさは異なるが、内側に弓状に湾曲した長孔ｎを形成し中心側に向けて湾曲した形状をなしている点においては共通している。環状部材Ｒ１は、若干内側に湾曲しており外側に位置する長尺部Ｒ１１の長さが、若干内側に湾曲しており内側に位置する長尺部Ｒ１１よりも長く設定されている。連結部材Ｒ２は、内側に配された環状部材Ｒ１と外側に配された環状部材Ｒ１とを３本の帯体により構成されている。接続部材Ｒ３は、外側の環状部材Ｒ１と円環状の内枠を有する支持枠部Ｆとを接続している。これらは樹脂により一体に成形されている。
【００５６】
このようなものであっても、所期の目的を達成することができる。
【００５７】
本実施形態に示すものであれば、４つの扇子形状をなしている弾性変形領域Ｒが放射状に配され、弾性変形し易い特定方向ｄを放射状に構成することができる。このため、特にこれらの弾性変形領域Ｒに囲まれた内側部分にかかる着座者の荷重を弾性変形領域Ｒの弾性変形により好適に受け付けるとともに、各弾性変形領域Ｒに直接的に着座者の荷重が付与されたとしても隣接する弾性変形領域Ｒの弾性変形し易い特定方向ｄが異なっているため、隣接する弾性変形領域Ｒが同一方向に撓んでしまうことなく全体的にバランスの良い撓みを実現することができる。
【００５８】
＜第四の実施形態＞
第四の実施形態である中間部Ｘ３について、図１２を参照して説明する。この実施形態のものは、弾性変形領域Ｒが、一本の帯状部材を波型に連続させて形成させた波型部材Ｒ４と、隣接する他の弾性変形領域Ｒ或いは、支持枠部Ｆに接続するための接続部材Ｒ３とを備えている。これらは樹脂により一体に形成されている。
【００５９】
波型部材Ｒ４は、略直線状をなす５本の長尺部Ｒ４１と、これら５本の長尺部Ｒ４１を一本に連続させるべく各長尺部Ｒ４１の一方の端部同士を連結する４つのＵ字状の屈曲部Ｒ４２とを具備してなるものである。
【００６０】
そして、弾性変形領域Ｒが平面視略矩形状をなしており、当該弾性変形領域Ｒの弾性変形し易い特定方向ｄを隣接する他の弾性変形領域Ｒの特定方向ｄに対して約９０°方向を異ならせて配されている。
【００６１】
このようなものであっても、弾性変形領域Ｒは、各長尺部４２間に長孔状の空間ｓが形成され特定方向ｄ、すなわち長孔状の空間ｓの長手方向に直交する方向に弾性変形し易いものとなるため、所期の目的を達成するものとなる。
【００６２】
＜第五の実施形態＞
第五の実施形態である中間部Ｘ４について、図１３及び図１４を参照して説明する。なお、図１３の網掛けは樹脂部分であり、空間部分と明確に区別するためのものである。この実施形態のものは、弾性変形領域Ｒが、矩形状の板体を屏風状に折り曲げた形状をなす屏風状部材Ｒ５と、隣接する他の弾性変形領域Ｒ或いは、支持枠部Ｆに接続するための接続部材Ｒ３とを備えている。これらは樹脂により一体に形成されている。
【００６３】
そして、弾性変形領域Ｒが平面視略矩形状をなしており、当該弾性変形領域Ｒの弾性変形し易い特定方向ｄを隣接する他の弾性変形領域Ｒの特定方向ｄに対して約９０°方向を異ならせて配されている。隣接する屏風状部材Ｒ５間、及び、屏風状部材Ｒ５と支持枠部Ｆとの間には、隙間ｍが形成され、屏風状部材５の弾性変形をし易くしている。
【００６４】
このようなものであっても、弾性変形領域Ｒは、特定方向ｄすなわち屏風状部材５の山又は谷が広がる方向に弾性変形し易いものとなるため、所期の目的を達成するものとなる。
【００６５】
＜第六の実施形態＞
第六の実施形態である中間部Ｘ５について、図１５及び図１６を参照して説明する。この実施形態のものは、中間部Ｘ５が、貫通孔を有しない凹凸板状のものとなっている。弾性変形領域Ｒは、屏風状に折り曲げた形状をなす屏風状部Ｒ６と、隣接する他の弾性変形領域Ｒ或いは、支持枠部Ｆに接続するための接続部Ｒ７とを備えている。接続部Ｒ７は屏風状部Ｒ６の全周縁に連続して設けられている。また、屏風状部Ｒ６は、支持枠部Ｆよりも薄肉に形成してある。
【００６６】
そして、弾性変形領域Ｒが平面視略矩形状をなしており、当該弾性変形領域Ｒの弾性変形し易い特定方向ｄを隣接する他の弾性変形領域Ｒの特定方向ｄに対して約９０°方向を異ならせて配されている。
【００６７】
このようなものであっても、弾性変形領域Ｒは、特定方向ｄすなわち屏風状部Ｒ６の山又は谷が広がる方向に弾性変形し易いものとなるため、所期の目的を達成するものとなる。
【００６８】
＜第七の実施形態＞
第七の実施形態について、図１７を参照して説明する。図１７に示すものは、第七の実施形態である椅子Ｈの斜視図である。なお、前述した第一実施形態と同一又は対応する部分については同一の符号を付して説明することとし、説明を省略する。また、同図中の網掛け部分Ｘ６、Ｘ７には、上述した各実施形態の説明において具体的に示された撓み生成部たる中間部が適用される。
【００６９】
この椅子Ｈは、椅子本体１と、樹脂製の板材Ｂを主体に形成され座カバーやクッションを設けていない座板２３を備えた座２と、樹脂製の板材Ｉを主体に形成され背カバーやクッションを設けていない背板３２を備えた背もたれ３とを備えたものである。この実施形態では、座２の前部分２ｆであって通常の着座姿勢において着座者の両脚（太股）が接する左右の２箇所に、撓み生成部である中間部Ｘ６を配している。このようなものであれば、板材が曲がっているために比較的剛性が上がり易い座２の前部分２ｆすなわち座２の前端近傍部分に、弾性変形領域を集合させてなる弾性変形領域集合部を備えた中間部Ｘ６を部分的に配しているため、着座者の脚に快適なクッション性を与えて良好な座り心地を提供することができるものとなる。また、このものは、背もたれ３の中央部分の略全域に亘って弾性変形領域を集合させてなる弾性変形領域集合部を備えた中間部Ｘ７を配しているため、着座者の背中を必要な強度を維持しつつハンモック的に支持することもでき、着座者に良好な座り心地を提供することができる。
【００７０】
その他、本発明は、上述した各実施形態に説明したもの以外にも、趣旨を逸脱しない範囲で種々変更が可能である。
【００７１】
板材は、座を構成するものに限らず、背もたれを構成するものであってもよい。すなわち、上述した座を構成する板材は、背もたれを構成する板材として適用しても良い。
【００７２】
座は、座板のみで構成されるものであっても良いし、背もたれは、背板のみで構成されるものであっても良い。換言すれば、座は、座カバーやクッションを備えたものでなくても良く、背もたれは、背カバーやクッションを備えたものでなくても良い。
【００７３】
撓み生成部である座板の中間部には、少なくとも一か所の弾性変形領域集合部を備えていればよく、必ずしも中間部の左右に二箇所の弾性変形領域集合部を備えているものでなくても良い。しかしながら、上述した実施形態のように、着座者の臀部の位置に対応させて中間部の左右二箇所に弾性変形領域集合部を備えたものであれば、着座者の荷重を好適に受け付けて良好な座り心地を提供するものとなる。
【００７４】
複数の弾性変形領域集合部を、板材内に左右に並べて配するのではなく、前後に並べて複数配するようにしても良い。或いは、複数の弾性変形領域集合部を、板材内に円環状をなすように複数配するようにしても良いし、更には、板材内に規則性無くランダムに複数配するようにしても良い。
【００７５】
板材内に配される複数の弾性変形領域集合部は、それぞれ異なる形状であっても構わない。
【００７６】
支持枠部は、弾性変形領域集合部の周囲を取り囲むもの、すなわち閉じている部分であればよく、上述した実施形態に示されるものには限られない。例えば、支持枠部を円形状のものとしてもよいし、楕円形状のものや、不規則な形状をなす環状のものとしてもよい。
【００７７】
また、板材の素材は、椅子用のシェル等を成形するための樹脂に限らず、エラストマーを用いてもよい。
【００７８】
椅子は、スタッキング可能な構成のものでなくても良いのはもちろんのことである。
【００７９】
その他、各部の具体的構成についても上記実施形態に限られるものではなく、本発明の趣旨を逸脱しない範囲で種々変形が可能である。
【符号の説明】
【００８０】
１…椅子本体
２…座
３…背もたれ
Ａ…椅子
Ｂ…板材
Ｒ…弾性変形領域
ｄ…特定方向
【図１】
2014076230.tif 000003
【図２】
2014076230.tif 000004
【図３】
2014076230.tif 000005
【図４】
2014076230.tif 000006
【図５】
2014076230.tif 000007
【図６】
2014076230.tif 000008
【図７】
2014076230.tif 000009
【図８】
2014076230.tif 000010
【図９】
2014076230.tif 000011
【図１０】
2014076230.tif 000012
【図１１】
2014076230.tif 000013
【図１２】
2014076230.tif 000014
【図１３】
2014076230.tif 000015
【図１４】
2014076230.tif 000016
【図１５】
2014076230.tif 000017
【図１６】
2014076230.tif 000018
【図１７】
2014076230.tif 000019